(57)【要約】【課題】死水水位のばらつきを抑えることができる排水弁装置を提供する。【解決手段】実施形態に係る排水弁装置は、排水弁体と、フロートと、係合部とを備える。排水弁体は、上方に延在する弁体主軸を備え、洗浄水を貯留する洗浄水タンクの排水口を弁体主軸の引き上げに応じて開閉する。フロートは、洗浄水タンクの水位に連動して上下動する。係合部は、弁体主軸に設けられた係合突起と係合可能であり、回転軸を中心とした回転動作によって係合突起との係合を解除可能である。また、係合部は、係合突起との係合位置よりも弁体主軸から遠い位置に回転軸を有し、且つ、洗浄水タンクの水位が所定水位よりも上である時、フロートに側方から当接することによって回転動作が規制され、洗浄水タンクの水位が所定水位以下の時、フロートの下降に伴って回転動作が許容される。【選択図】図５
2020105821.tif 000002
【特許請求の範囲】
【請求項１】
上方に延在する弁体主軸を備え、洗浄水を貯留する洗浄水タンクの排水口を前記弁体主軸の引き上げに応じて開閉する排水弁体と、
前記洗浄水タンクの水位に連動して上下動するフロートと、
前記弁体主軸に設けられた係合突起と係合可能であり、回転軸を中心とした回転動作によって前記係合突起との係合を解除可能な係合部と
を備え、
前記係合部は、
前記係合突起との係合位置よりも前記弁体主軸から遠い位置に前記回転軸を有し、且つ、前記洗浄水タンクの水位が所定水位よりも上である時、前記フロートに側方から当接することによって前記回転動作が規制され、前記洗浄水タンクの水位が所定水位以下の時、前記フロートの下降に伴って前記回転動作が許容される、排水弁装置。
【請求項２】
前記係合部と前記フロートとの当接位置は、
前記係合突起と前記係合部との係合位置よりも前記弁体主軸から遠く、且つ、前記回転軸よりも前記弁体主軸に近い位置に設けられる、請求項１に記載の排水弁装置。
【請求項３】
前記弁体主軸が引き上げられる前の前記係合部の初期位置において、前記弁体主軸の引き上げに伴って、前記係合突起から上向きの力を受けて回転した場合に、前記係合部が前記初期位置に復帰する初期位置復帰部を備える、請求項１または２に記載の排水弁装置。
【請求項４】
前記初期位置復帰部は、前記初期位置において、前記回転軸よりも前記弁体主軸から遠い位置において前記フロートに下方から支持される前記係合部の一部であり、
前記係合部は、前記弁体主軸の引き上げに伴って前記係合突起から上向きの力を受けた場合に、前記フロートを浮力に抗して押し下げながら前記回転軸まわりに回転し、その後、浮力によって上昇する前記フロートから受ける上向きの力によって前記回転軸まわりに回転して前記初期位置に戻る、請求項３に記載の排水弁装置。
【請求項５】
前記係合部は、
前記フロートに側方から当接する第１当接部材と、
前記第１当接部材とは別体であり、前記係合突起と当接する第２当接部材と
を備える、請求項１乃至４の何れか１項に記載の排水弁装置。
【請求項６】
前記回転軸は、
前記第１当接部材を回転可能に支持する第１回転軸と、
前記第１当接部材に設けられ、前記第１回転軸よりも前記弁体主軸に近い位置において前記第２当接部材を回転可能に支持する第２回転軸と
を含む、請求項５に記載の排水弁装置。
【発明の詳細な説明】
【技術分野】
【０００１】
開示の実施形態は、排水弁装置に関する。
【背景技術】
【０００２】
従来、便器に供給される洗浄水を貯留する洗浄水タンクの内部に配置され、洗浄水タンクの底面に設けられた排水口の開閉を制御する排水弁装置が知られている。
【０００３】
排水弁装置は、排水口を開閉する排水弁体と、洗浄水タンク内の水位と連動して上下動するフロートとを備える。洗浄操作に伴って排水弁体が引き上げられると、排水弁体に設けられた係合突起がフロートに設けられた係合部と係合することによって排水弁体の高さが維持され、排水口から洗浄水が排水される。その後、水位の低下に伴ってフロートが下がることで係合突起と係合部との係合が解除されて排水弁体が下がり、排水口が閉じられる（特許文献１参照）。
【先行技術文献】
【特許文献】
【０００４】
【特許文献１】特開２０１３−１０４２７１号公報
【発明の概要】
【発明が解決しようとする課題】
【０００５】
しかしながら、上述した従来技術では、係合突起と係合部との係合が解除される際に、係合突起と係合部との間で摩擦力が生じることで、係合が解除されるタイミングにずれが生じるおそれがある。係合が解除されるタイミングにずれが生じると、排水弁体が排水口を閉じるタイミングにばらつきが生じ、結果として、洗浄水タンクの死水水位にばらつきが生じることとなる。洗浄水タンクの死水水位にばらつきが生じると、たとえば便器の洗浄不良等が発生する恐れがあるため、死水水位のばらつきが生じないことが好ましい。
【０００６】
実施形態の一態様は、上記に鑑みてなされたものであって、死水水位のばらつきを抑えることができる排水弁装置を提供することを目的とする。
【課題を解決するための手段】
【０００７】
実施形態の一態様に係る排水弁装置は、上方に延在する弁体主軸を備え、洗浄水を貯留する洗浄水タンクの排水口を前記弁体主軸の引き上げに応じて開閉する排水弁体と、前記洗浄水タンクの水位に連動して上下動するフロートと、前記弁体主軸に設けられた係合突起と係合可能であり、回転軸を中心とした回転動作によって前記係合突起との係合を解除可能な係合部とを備え、前記係合部は、前記係合突起との係合位置よりも前記弁体主軸から遠い位置に前記回転軸を有し、且つ、前記洗浄水タンクの水位が所定水位よりも上である時、前記フロートに側方から当接することによって前記回転動作が規制され、前記洗浄水タンクの水位が所定水位以下の時、前記フロートの下降に伴って前記回転動作が許容される。
【０００８】
仮に、係合部の回転軸が係合部と係合突起との係合位置よりも弁体主軸に近い位置に設けられている場合、係合部と係合突起との係合が解除される際、係合部は、係合突起をわずかに持ち上げながら回転することとなるため、係合部と係合突起との係合が解除される際に比較的大きな摩擦力が発生してしまう。これに対し、実施形態の一態様に係る排水弁装置では、係合部の回転軸が係合部と係合突起との係合位置よりも弁体主軸から遠い位置に設けられるため、係合部と係合突起との係合が解除される際、係合部は、係合突起を持ち上げることなく係合突起から離れるように回転する。このため、係合部の回転軸が係合部と係合突起との係合位置よりも弁体主軸に近い位置に設けられている場合と比較して、係合突起と係合部との間で発生する摩擦力の影響を抑えることができる。
【０００９】
一方、係合部と係合突起との係合位置よりも弁体主軸から遠い位置に係合部の回転軸を設けた場合、排水弁体の重さによって係合突起と係合部との係合が外れる方向に係合部が回転しようとするため、係合突起と係合部との係合が簡単に外れてしまう恐れがある。これに対し、実施形態の一態様に係る排水弁装置では、洗浄水タンクの水位が所定水位よりも上である時、係合部はフロートに側方から当接して、係合部はフロートによって回転動作が規制されるため、係合突起と係合部との係合が簡単に外れてしまうのを防ぐことができる。
【００１０】
以上の作用により、係合突起と係合部との間で発生する摩擦力の影響を抑えつつ、係合突起と係合部との係合が簡単に解除されるのを防ぐことができる。このため、係合突起と係合部との係合が解除されるタイミングにずれが生じにくく、排水弁体が排水口を閉じるタイミングがばらつきにくくなる。結果として、洗浄水の死水水位のばらつきを抑えることができる。
【００１１】
また、前記係合部と前記フロートとの当接位置は、前記係合突起と前記係合部との係合位置よりも前記弁体主軸から遠く、且つ、前記回転軸よりも前記弁体主軸に近い位置に設けられる。
【００１２】
例えば、係合部とフロートとの当接位置が、回転軸よりも弁体主軸から遠い場合、係合部の回転動作によるフロートと係合部との摩擦力が、フロートに対して上向きに発生する。フロートに上向きの摩擦力が加わると、フロートの下降を阻害するため、摩擦力の大きさによって、フロートの下降するタイミングにばらつきが発生する。その結果、係合部と係合突起との係合が解除されるタイミングにもばらつきが生じるため、洗浄水の死水水位のばらつきが発生してしまう。
【００１３】
実施形態の一態様に係る排水弁装置は、係合部の回転動作によるフロートと係合部との摩擦力が、フロートに対して上向きに発生しないため、フロートの下降を阻害することなく、係合部と係合突起との係合が解除されるタイミングがばらつきにくくなる。結果として、洗浄水の死水水位のばらつきを抑えることができる。
【００１４】
また、実施形態の一態様に係る排水弁装置は、前記弁体主軸が引き上げられる前の前記係合部の初期位置において、前記弁体主軸の引き上げに伴って、前記係合突起から上向きの力を受けて回転した場合に、前記係合部が前記初期位置に復帰する初期位置復帰部を備える。これにより、弁体主軸が引き上げられた後、弁体主軸が下りてくるまでに、係合部が係合突起と係合できる初期位置に速やかに戻ることができる。
【００１５】
また、前記初期位置復帰部は、前記初期位置において、前記回転軸よりも前記弁体主軸から遠い位置において前記フロートに下方から支持される前記係合部の一部であり、前記係合部は、前記弁体主軸の引き上げに伴って前記係合突起から上向きの力を受けた場合に、前記フロートを浮力に抗して押し下げながら前記回転軸まわりに回転し、その後、浮力によって上昇する前記フロートから受ける上向きの力によって前記回転軸まわりに回転して前記初期位置に戻る。
【００１６】
これにより、簡単な構成で係合部の初期位置復帰をさせることができるため、排水弁装置を小型にすることができる。
【００１７】
また、前記係合部は、前記フロートに側方から当接する第１当接部材と、前記第１当接部材とは別体であり、前記係合突起と当接する第２当接部材とを備える。これにより、弁体主軸が引き上げに伴って係合突起から第２当接部材が上向きの力を受けた場合、第１当接部材は回転軸まわりに回転せず、第２当接部材だけが回転するため、第１当接部材が回転するスペースがいらず、排水弁装置を小型にすることができる。
【００１８】
前記回転軸は、前記第１当接部材を回転可能に支持する第１回転軸と、前記第１当接部材に設けられ、前記第１回転軸よりも前記弁体主軸に近い位置において前記第２当接部材を回転可能に支持する第２回転軸とを含む。
【００１９】
これにより、第２当接部材が係合突起との係合を解除する時間が短くなり、第２当接部材と係合突起との間に発生する摩擦の影響を受けにくくなる。結果として、洗浄水の死水水位のばらつきを抑えることができる。
【発明の効果】
【００２０】
実施形態の一態様によれば、死水水位のばらつきを抑えることができる排水弁装置を提供することができる。
【図面の簡単な説明】
【００２１】
【図１】図１は、実施形態に係るトイレ装置を示す図である。
【図２】図２は、実施形態に係る洗浄水タンクの断面図である。
【図３】図３は、実施形態に係る弁体部が下りている状態の排水弁装置を示す図である。
【図４】図４は、実施形態に係る弁体部が引き上げられている状態の排水弁装置を示す図である。
【図５】図５は、実施形態に係る排水弁装置の断面図である。
【図６】図６は、実施形態に係る排水前の排水弁装置を表した模式図である。
【図７】図７は、実施形態に係る排水中の排水弁装置を表した模式図である。
【図８】図８は、実施形態に係る排水中の排水弁装置を表した模式図である。
【図９】図９は、実施形態に係る排水中の排水弁装置を表した模式図である。
【図１０】図１０は、実施形態に係る排水中の排水弁装置を表した模式図である。
【図１１】図１１は、実施形態に係る排水中の排水弁装置を表した模式図である。
【図１２】図１２は、実施形態に係る排水中の排水弁装置を表した模式図である。
【図１３】図１３は、実施形態に係る排水後の排水弁装置を表した模式図である。
【図１４】図１４は、実施形態に係る排水後の排水弁装置を表した模式図である。
【発明を実施するための形態】
【００２２】
以下、添付図面を参照して、本願の開示する排水弁装置の実施形態を詳細に説明する。なお、以下に示す実施形態によりこの発明が限定されるものではない。
【００２３】
まず、実施形態に係る排水弁装置を備えたトイレ装置の全体構成について図１を参照して説明する。図１は、実施形態に係るトイレ装置１を示す図である。
【００２４】
図１に示すように、トイレ装置１は、便器本体２と、タンク部４とを備える。便器本体２は、汚物を受けるボウル部２０と、ボウル部２０の上縁部に内側にオーバーハングしたリム２２と、タンク部４から供給される洗浄水を吐水する第１吐水口２４と、溜水が溜水面Ｗ０まで溜まっている溜水部２６と、溜水部２６と連通する排水トラップ管路２７とを備える。
【００２５】
また、便器本体２は、ボウル部２０の溜水面Ｗ０よりも上方位置に、タンク部４から供給される洗浄水を吐水する第２吐水口２８を備える。第１吐水口２４によって吐水された洗浄水は、ボウル部２０を旋回しながら流下し、ボウル部２０を洗浄する。第２吐水口２８によって吐水された洗浄水は、溜水部２６の溜水を上下方向に旋回させ、旋回流を発生させる。
【００２６】
タンク部４は、洗浄水を貯水するとともに、底面にボウル部と連通する排水口４００（図３等参照）が設けられる貯水タンク４０と、貯水タンク４０の上方に載置される洗浄水タンク蓋４２とを備える。また、洗浄水タンク蓋４２は、上面に押しボタン式の手動操作装置４２０を備えており、使用者が手動操作装置４２０を押すことで、タンク部４内に貯水されている洗浄水をボウル部２０へ供給することができる。タンク部４内の詳細な排水機構については後述する。
【００２７】
次に、タンク部４内の構成について図２を参照して説明する。図２は、実施形態に係るタンク部４の断面図である。図２に示すように、タンク部４は、給水装置６と、排水弁装置８と、手動操作装置４２０とを備える。
【００２８】
給水装置６は、給水管６０と、フロート６２と、給水バルブ６４と、リフィール管６６とを備える。給水管６０は、水道管等の給水源（図示しない）に接続され、貯水タンク４０の底面から上方に延びるように設けられており、給水管６０の上端には給水バルブ６４が取り付けられる。給水バルブ６４は、貯水タンク４０内の水位に伴って上下動するフロート６２によって開閉が制御される。
【００２９】
また、給水管６０は、外周側下端部に吐水口（図示しない）を備える。吐水口は、給水バルブ６４が開くと、給水管６０から供給される洗浄水をタンク部４内に吐水し、給水バルブ６４が閉じると止水する。
【００３０】
リフィール管６６は、下流端部が後述する排水弁装置８のオーバーフロー管８０の上端開口８００に位置し、リフィール管６６の一部はオーバーフロー管８０またはタンク部４内の所定箇所に固定されている。リフィール管６６から流出する一部の洗浄水は、オーバーフロー管８０内に流れ込み、便器本体２のボウル部２０内に補給水として供給される。
【００３１】
手動操作装置４２０は、トイレ装置１の大洗浄モードの洗浄操作の開始を機械的に指令する大洗浄ボタン４２２と、トイレ装置１の小洗浄モードの洗浄操作の開始を機械的に指令する小洗浄ボタン４２４と、大洗浄ボタン４２２の下面側に固定され且つ下方に延びる大洗浄用棒部材４２６と、小洗浄ボタン４２４の下面側に固定され且つ下方に延びる小洗浄用棒部材４２８とを備えている。
【００３２】
使用者が大洗浄ボタン４２２を押すと、大洗浄用棒部材４２６が押し下げられ、大洗浄用棒部材４２６の先端が排水弁装置８の大洗浄操作部８２３を押し下げる。また、使用者が小洗浄ボタン４２４を押すと、小洗浄用棒部材４２８が押し下げられ、小洗浄用棒部材４２８の先端が排水弁装置８の小洗浄操作部８２２を押し下げる。使用者がこの大洗浄ボタン４２２または小洗浄ボタン４２４を押すことで、排水弁装置８を大洗浄モードまたは小洗浄モードいずれかの洗浄操作に応じて駆動させることができるようになっている。
【００３３】
次に、排水弁装置８の構成と排水弁装置８内に設けられる弁体部８４の引き上げ機構について図３および図４を参照して説明する。図３は、実施形態に係る弁体部８４が下りている状態の排水弁装置８を示す図であり、図４は、実施形態に係る弁体部８４が引き上げられている状態の排水弁装置８を示す図である。
【００３４】
まず、排水弁装置８は、排水弁装置８の外観を形成するケーシング８２と、ケーシング８２内に配置され、排水口４００を開閉する弁体部８４と、弁体部８４を引き上げる弁体引き上げ機構８６とを備える。
【００３５】
ケーシング８２は、ケーシング８２の側面を形成する筒状の胴部８２０と、胴部８２０の頂部の開口を覆うように形成されている蓋部８２１と、オーバーフロー管８０（図２参照）とを備える。胴部８２０は、弁体部８４が着座する弁座８２４と、排水口４００に差し込まれる排水筒部８２６と、弁座８２４と排水筒部８２６との間で上流側から下流側に向かって縮径する縮径部８２８とを備える。
【００３６】
弁体部８４は、上方に延在する弁体主軸８４０と、弁体主軸８４０の引き上げに応じて洗浄水を貯留するタンク部４の排水口４００を開閉する排水弁体８４２とを備える。排水弁体８４２は、弁座８２４の上に着座することで排水口４００を閉じる。また、弁体主軸８４０は側方へ延びる直方体状の平板部材８４４を上端開口部の周縁に備えており、平板部材８４４の中央付近には、取り付け穴８４６が設けられる。
【００３７】
弁体引き上げ機構８６は、第１リンク８６０と、第１リンク８６０の一端に回転可能に取り付けられ、第１リンク８６０の回転量に応じて上方へ移動する第２リンク８６２とを備える。大洗浄用棒部材４２６または小洗浄用棒部材４２８によって、大洗浄操作部８２３または小洗浄操作部８２２が下方へ押し下げられると、第１リンク８６０は、後述する第１回転軸８９８（図５等参照）を中心に回転し、第２リンク８６２が引き上げられる。
【００３８】
第２リンク８６２の下端部は、平板部材８４４の取り付け穴８４６に挿入された後、向きを変えて配置されていることにより、第２リンク８６２が引き上げられる時、平板部材８４４の下面と係合して、弁体部８４全体を引き上げることができる。
【００３９】
図３に示すように、使用者が手動操作装置４２０を操作する前の待機状態において、第１リンク８６０と連結される第２リンク８６２の下端部は平板部材８４４と係合しておらず、排水弁体８４２は排水口４００を閉じた状態である。
【００４０】
図４は、使用者が大洗浄ボタン４２２を押し、大洗浄用棒部材４２６が押し下げられている状態の排水弁装置８の断面図である。大洗浄用棒部材４２６（ここでは図示せず）が押し下げられることで、ケーシング８２の大洗浄操作部８２３（ここでは図示せず）は下方へ下がる。大洗浄操作部８２３が下方へ下がると、第１リンク８６０は比較的大きな回転量だけ回転し、第２リンク８６２が上方に比較的大きな移動量引き上げられる。そして、第２リンク８６２の下端部が平板部材８４４と係合し、平板部材８４４を比較的大きな移動量引き上げる。平板部材８４４が引き上げられることで、排水弁体８４２が引き上げられ、排水口４００が開き、タンク部４内の洗浄水がボウル部２０へと供給される。これが大洗浄モードの洗浄動作である。
【００４１】
また、図示しないが、使用者が小洗浄ボタン４２４を押すと、小洗浄用棒部材４２８が押し下げられる。小洗浄用棒部材４２８が押し下げられることで、ケーシング８２の小洗浄操作部８２２は下方へ下がる。小洗浄操作部８２２が下方へ下がると、第１リンク８６０が比較的小さな回転量だけ回転し、第２リンク８６２が上方に比較的小さな移動量引き上げられる。そして、第２リンク８６２の下端部が平板部材８４４と係合し、平板部材８４４は引き上げられる。平板部材８４４が引き上げられることで、排水弁体８４２が引き上げられ、排水口４００が開き、タンク部４内の洗浄水がボウル部２０へと供給される。これが小洗浄モードの洗浄動作である。
【００４２】
次に、排水弁装置８の具体的な構成について、図５を参照して説明する。図５は、排水弁装置８の断面図である。
【００４３】
図５に示すように、排水弁装置８は、上述した排水弁装置８の外観を形成するケーシング８２と、排水口４００を開閉する弁体部８４と、弁体部８４を引き上げる弁体引き上げ機構８６に加えて、ケーシング８２内に配置される小洗浄フロート機構８８と、大洗浄フロート機構８９とを備える。また、ケーシング８２は、タンク部４内に連通する上端開口８００と縮径部８２８に連通する下端開口８０２を備えるオーバーフロー管８０を備える。オーバーフロー管８０は、貯水タンク４０内の洗浄水がオーバーフロー管８０の上端開口８００に相当する高さの水位を超えた場合に、洗浄水を下端開口８０２から排出することができる。
【００４４】
ケーシング８２の蓋部８２１は、小洗浄操作部８２２と大洗浄操作部８２３とを備える。洗浄水タンク蓋４２の小洗浄ボタン４２４が押されると、小洗浄操作部８２２は、第１リンク８６０を比較的小さい回転量だけ回転させる。また、洗浄水タンク蓋４２の大洗浄ボタン４２２が押されると、大洗浄操作部８２３は、第１リンク８６０を比較的大きな回転量だけ回転させる。
【００４５】
弁体部８４の弁体主軸８４０は、後述する小洗浄係合部８８４に係合する小洗浄係合突起８４７と、大洗浄係合部８９２に係合する大洗浄係合突起８４８とを備える。
【００４６】
小洗浄フロート機構８８は、小洗浄フロート８８０と、フロート支持軸８８２と、小洗浄係合部８８４とを備える。小洗浄フロート８８０は、貯水タンク４０内の水位が所定の小洗浄水量を排出する水位（死水水位）まで低下する場合に、貯水タンク４０内の水位と共に下降する。フロート支持軸８８２は、上下方向に延びて設けられ、小洗浄フロート８８０を支持する。
【００４７】
小洗浄係合部８８４は、弁体主軸８４０に設けられる小洗浄係合突起８４７に係合可能に形成される。使用者が小洗浄ボタン４２４を押し、上述した小洗浄モードで洗浄動作が実行されると、弁体部８４が持ち上げられ、弁体主軸８４０に設けられた小洗浄係合突起８４７が小洗浄係合部８８４に係合する。小洗浄係合突起８４７が小洗浄係合部８８４に係合することで、弁体部８４が保持され、排水口４００が開いた状態が維持される。その後、排水口４００から洗浄水が排出され、貯水タンク４０内の水位が低下すると、小洗浄フロート８８０が下降し、小洗浄係合突起８４７と小洗浄係合部８８４との係合は解除される。小洗浄係合突起８４７と小洗浄係合部８８４の係合が解除されると、弁体部８４が下降して排水口４００を閉じる。
【００４８】
大洗浄フロート機構８９は、大洗浄フロート８９０と、大洗浄係合部８９２とを備える。大洗浄フロート８９０は、貯水タンク４０内の水位に連動して上下動するフロートであり、貯水タンク４０内の水位が所定の大洗浄水量を排出する死水水位まで低下する場合に、貯水タンク４０内の水位と共に下降する。
【００４９】
使用者が大洗浄ボタン４２２を押し、上述した大洗浄モードで洗浄動作が実行されると、大洗浄係合部８９２は、弁体主軸８４０の外周に設けられた大洗浄係合突起８４８と係合する。大洗浄モード時の大洗浄係合部８９２の詳細な機構については後述する。
【００５０】
また、大洗浄係合部８９２は、大洗浄フロート８９０に側方から当接する第１当接部材８９４と、第１当接部材８９４とは別体であり、大洗浄係合突起８４８と当接する第２当接部材８９６とを備える。
【００５１】
さらに、排水弁装置８は、第１当接部材８９４を回転可能に支持する第１回転軸８９８を備える。また、第１当接部材８９４は、第２当接部材８９６を回転可能に支持する第２回転軸８９９を備える。
【００５２】
次に、大洗浄モードでのタンク部４内の洗浄水排水前、洗浄水排水時、およびタンク部４内への給水時における大洗浄係合部８９２の詳細な機構について図６〜図１４を参照して説明する。図６〜図１４は、実施形態に係る排水中の排水弁装置８を表した模式図である。
【００５３】
図６は、弁体主軸８４０がタンク部４の排水口４００を閉じている状態を表している。第１当接部材８９４は、大洗浄フロート８９０の側面に当接し、第２当接部材８９６は、大洗浄フロート８９０の上面に当接する。弁体主軸８４０が引き上げられる前の状態における大洗浄係合部８９２の位置を初期位置とする。
【００５４】
図７に示すように、使用者が大洗浄ボタン４２２を押すと、弁体部８４が上方へと引き上げられる。この時弁体主軸８４０の大洗浄係合突起８４８が第２当接部材８９６を下から上に押し上げる。第２当接部材８９６は、第２回転軸８９９を中心に右回転するとともに、大洗浄フロート８９０を押し下げる。
【００５５】
実施形態に係る排水弁装置８は、第１当接部材８９４と第２当接部材８９６を別体で備えているため、弁体部８４によって第２当接部材８９６が上方へと押し上げられて回転しても、第１当接部材８９４は回転しない。これにより、第１当接部材８９４が回転するスペースを必要とせず、排水弁装置８を小型にすることができる。
【００５６】
次に、初期位置復帰部である大洗浄係合部８９２は、大洗浄フロート８９０を浮力に抗して押し下げながら第２回転軸８９９まわりに回転した後、図８に示すように浮力によって上昇する大洗浄フロート８９０から受ける上向きの力によって第２回転軸８９９まわりに左回転して、図９に示すように初期位置に戻る。
【００５７】
このように実施形態に係る排水弁装置８は、上述した初期位置において、弁体主軸８４０の引き上げに伴って、大洗浄係合突起８４８から上向きの力を受けて回転した場合に、大洗浄係合部８９２が初期位置に復帰する初期位置復帰部を備える。これにより、弁体主軸８４０が引き上げられた後、弁体主軸８４０が下りてくるまでに、大洗浄係合部８９２の第２当接部材８９６は大洗浄係合突起８４８と係合できる初期位置に速やかに戻ることができる。
【００５８】
実施形態に係る排水弁装置８の初期位置復帰部は、第２回転軸８９９よりも弁体主軸８４０から遠い位置において大洗浄フロート８９０に下方から支持される大洗浄係合部８９２の一部８９７である。これにより、簡単な構成で大洗浄係合部８９２を初期位置に復帰させることができるため、排水弁装置８を小型にすることができる。
【００５９】
なお、初期位置復帰部は、必ずしも大洗浄係合部８９２の一部であることを要さず、たとえばバネ（樹脂バネ、板バネ、トーションバネ）や錘であっても良い。初期位置復帰部として上述したバネを用いる場合、バネの一端は第２当接部材８９６と当接し、他端はバネが第２当接部材８９６から受ける力を逃がさないように保持される。
【００６０】
続いて、図１０に示すように、弁体部８４が低下すると、第２当接部材８９６が大洗浄係合突起８４８と係合することで、弁体部８４が排水口４００を開けた状態で維持される。弁体部８４が排水口４００を開けた状態である時、洗浄水はタンク部４から排出され、ボウル部２０に供給される。図１０には、貯水タンク４０内の水位をＷＬで表している。
【００６１】
ここで、大洗浄係合突起８４８と係合した大洗浄係合部８９２は、貯水タンク４０内の水位が所定水位よりも上である時、大洗浄フロート８９０に側方から当接することによって、回転動作が規制される。すなわち、初期位置において、第１当接部材８９４は、大洗浄フロート８９０の側面に側方から当接することで、左回転の回転動作が大洗浄フロート８９０によって規制されている。また、初期位置において、第２当接部材８９６は、かかる第１当接部材８９４によって下方から支持されている。このため、大洗浄係合突起８４８と係合した第２当接部材８９６の左回転の回転動作は、第１当接部材８９４によって規制される。なお、所定水位は、貯水タンク４０の満水水位と死水水位との間で規定される。
【００６２】
その後、タンク部４内の洗浄水が排出され、水位が低下するにつれて、大洗浄フロート８９０は下方へ移動する。図１１に示すように、大洗浄フロート８９０が下方へ移動すると、第１当接部材８９４が大洗浄フロート８９０に形成された傾斜面８９１を摺動する。
【００６３】
そして、図１２に示すように、貯水タンク４０内の水位が所定水位以下の時、大洗浄フロート８９０の下降に伴って、大洗浄フロート８９０に当接した状態が解除されて回転動作が許容される。すなわち、貯水タンク４０内の水位低下に伴って、大洗浄フロート８９０が低下すると、第１当接部材８９４が大洗浄フロート８９０に形成された傾斜面８９１を摺動し始め、大洗浄係合突起８４８と係合した第２当接部材８９６の左回転の回転動作は許容される。
【００６４】
実施形態に係る排水弁装置８の第２回転軸８９９は、第１回転軸８９８よりも弁体主軸８４０に近い位置において第２当接部材８９６を回転可能に支持する。このため、貯水タンク４０内の水位低下に伴って、大洗浄フロート８９０が低下する時、第２回転軸８９９が第１回転軸８９８よりも弁体主軸８４０から遠い位置において第２当接部材８９６を回転可能に支持する時と比較して、第２当接部材８９６のより少ない回転量で、第２当接部材８９６と大洗浄係合突起８４８との係合が解除される。
【００６５】
すなわち、大洗浄フロート８９０が低下し始めた時から第２当接部材８９６と大洗浄係合突起８４８との係合が解除される時までの時間を短縮することができる。結果として、第２当接部材８９６と大洗浄係合突起８４８との間に発生する摩擦の影響を小さくすることができるため、洗浄水の死水水位のばらつきを抑えることができる。
【００６６】
続いて、図１３に示すように、さらに弁体部８４が下方へと移動すると、排水弁体８４２はタンク部４の排水口４００を閉じる。排水弁体８４２が排水口４００を閉じると、給水装置６から給水される洗浄水がタンク部４内に貯留され、貯水タンク４０内の水位が上昇する。貯水タンク４０内の水位が上昇するにつれて、大洗浄フロート８９０が上方へと移動し、第１当接部材８９４は大洗浄フロート８９０に形成された傾斜面８９１を摺動する。
【００６７】
仮に、第１当接部材８９４と大洗浄フロート８９０との当接位置が、大洗浄係合突起８４８と第２当接部材８９６との係合位置よりも弁体主軸８４０から遠く、且つ、第１回転軸８９８よりも弁体主軸８４０から遠い位置に設けられているとする。この場合、貯水タンク４０内の水位が低下し、大洗浄フロート８９０が下方へと移動する際、第１当接部材８９４の回転動作によって、第１当接部材８９４が大洗浄フロート８９０に対して上方への力が作用する。
【００６８】
これに対し、実施形態に係る排水弁装置８では、第１当接部材８９４と大洗浄フロート８９０との当接位置は、大洗浄係合突起８４８と第２当接部材８９６との係合位置よりも弁体主軸８４０から遠く、且つ、第１回転軸８９８よりも弁体主軸８４０に近い位置に設けられる。このような位置関係で構成することで、貯水タンク４０内の水位が低下し、大洗浄フロート８９０が下方へと移動する際、第１当接部材８９４が大洗浄フロート８９０に対して上方への力を与えることを防ぐことができる。したがって、大洗浄フロート８９０の動作が第１当接部材８９４によって阻害されることを抑制することができる。
【００６９】
最後に、図１４に示すように、大洗浄係合部８９２は、第１当接部材８９４が大洗浄フロート８９０の側面に当接し、第２当接部材８９６が大洗浄フロート８９０に下方から支持された初期位置の状態となる。給水装置６から給水される洗浄水がタンク部４内に貯留され、貯水タンク４０内の水位が上昇し、フロート６２が上方へ移動することによって、給水バルブ６４は閉じられ、タンク部４への給水が停止する。
【００７０】
上述してきたように、実施形態に係る排水弁装置８では、排水弁体８４２と、大洗浄フロート８９０と、大洗浄係合部８９２とを備える。排水弁体８４２は、上方に延在する弁体主軸８４０を備え、洗浄水を貯留するタンク部４の排水口４００を弁体主軸８４０の引き上げに応じて開閉する。大洗浄フロート８９０は、貯水タンク４０内の水位に連動して上下動する。大洗浄係合部８９２は、弁体主軸８４０の外周に設けられた大洗浄係合突起８４８と係合可能であり、回転軸（一例として、第１回転軸８９８および第２回転軸８９９）を中心とした回転動作によって大洗浄係合突起８４８との係合を解除可能である。
【００７１】
また、大洗浄係合部８９２は、大洗浄係合突起８４８との係合位置よりも弁体主軸８４０から遠い位置に回転軸を有する。さらに、大洗浄係合部８９２は、貯水タンク４０内の水位が所定水位よりも上である時、大洗浄フロート８９０に側方から当接することによって回転動作が規制され、貯水タンク４０内の水位が所定水位以下の時、大洗浄フロート８９０の下降に伴って大洗浄フロート８９０に当接した状態が解除されて回転動作が許容される。
【００７２】
仮に、大洗浄係合部の回転軸が大洗浄係合部と大洗浄係合突起との係合位置よりも弁体主軸に近い位置に設けられている場合、大洗浄係合部と大洗浄係合突起との係合が解除される際、大洗浄係合部は、大洗浄係合突起をわずかに持ち上げながら回転することとなる。これに対し、実施形態に係る排水弁装置８では、大洗浄係合部８９２の回転軸（一例として、第１回転軸８９８および第２回転軸８９９）が大洗浄係合部８９２と大洗浄係合突起８４８との係合位置よりも弁体主軸８４０から遠い位置に設けられるため、大洗浄係合部８９２と大洗浄係合突起８４８との係合が解除される際、大洗浄係合部８９２は、大洗浄係合突起８４８を持ち上げることなく大洗浄係合突起８４８から離れるように回転する。このため、大洗浄係合部の回転軸が大洗浄係合部と大洗浄係合突起との係合位置よりも弁体主軸に近い位置に設けられている場合と比較して、大洗浄係合突起８４８と大洗浄係合部８９２との間で発生する摩擦力の影響を抑えることができる。また、大洗浄係合部８９２は大洗浄フロート８９０に側方から当接するため、大洗浄係合部８９２や大洗浄フロート８９０の重量による摩擦力が発生せず、大洗浄フロート８９０と大洗浄係合部８９２との間で発生する摩擦力を抑えることができる。
【００７３】
また、大洗浄係合突起８４８と大洗浄係合部８９２との係合位置よりも弁体主軸８４０から遠い位置に大洗浄係合部８９２の回転軸を設けた場合、弁体部８４の重さによって大洗浄係合突起８４８と大洗浄係合部８９２との係合が外れる方向に大洗浄係合部８９２が回転しようとするため、大洗浄係合突起８４８と大洗浄係合部８９２との係合が簡単に外れてしまう恐れがある。これに対し、実施形態の一態様に係る排水弁装置８では、貯水タンク４０内の水位が所定水位よりも上である時、大洗浄係合部８９２は大洗浄フロート８９０に側方から当接して、大洗浄係合部８９２は大洗浄フロート８９０によって回転動作が規制されるため、大洗浄係合突起８４８と大洗浄係合部８９２との係合が簡単に外れてしまうのを防ぐことができる。
【００７４】
以上の作用により、大洗浄係合突起８４８と第２当接部材８９６との間で発生する摩擦力の影響を抑えつつ、大洗浄係合突起８４８と第２当接部材８９６との係合が簡単に解除されるのを防ぐことができる。このため、大洗浄係合突起８４８と第２当接部材８９６との係合が解除されるタイミングにずれが生じにくく、排水弁体８４２が排水口４００を閉じるタイミングがばらつきにくくなる。結果として、洗浄水の死水水位のばらつきを抑えることができる。
【００７５】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７６】
１  トイレ装置
２  便器本体
４  タンク部
６  給水装置
８  排水弁装置
８４  弁体部
８９  大洗浄フロート機構
８４０  弁体主軸
８４２  排水弁体
８４８  大洗浄係合突起
８９０  大洗浄フロート
８９２  大洗浄係合部
８９４  第１当接部材
８９６  第２当接部材
８９８  第１回転軸
８９９  第２回転軸
【図１】
2020105821.tif 000003
【図２】
2020105821.tif 000004
【図３】
2020105821.tif 000005
【図４】
2020105821.tif 000006
【図５】
2020105821.tif 000007
【図６】
2020105821.tif 000008
【図７】
2020105821.tif 000009
【図８】
2020105821.tif 000010
【図９】
2020105821.tif 000011
【図１０】
2020105821.tif 000012
【図１１】
2020105821.tif 000013
【図１２】
2020105821.tif 000014
【図１３】
2020105821.tif 000015
【図１４】
2020105821.tif 000016